(57)【要約】【課題】現在国内に出回っている建枠及び交差筋違をそのまま使用して仮設される枠組足場の交差筋違に取り付けてことにより、足場板上から手摺りまでの高さを４００ｍｍ以下にすることができる補助手摺りを提供する。【解決手段】枠組足場の建枠１，１間に張架される一対の斜材２ａ，２ａからなる交差筋違２に水平に架け渡されるようになっている補助手摺り４であって、棒状の手摺り本体５と、手摺り本体５の両端部を吊持する一対の吊りアーム６，６とからなり、各吊りアーム６は、一端部が手摺り本体５の端部に上下方向揺動可能に枢着されるアーム主体７を有し、このアーム主体７の他端部に、斜材２ａに対し上方より嵌合するフック部８を設けると共に、フック部８が斜材２ａに嵌合した状態で斜材２ａの下側からフック部８の開口部Ｏを閉鎖して斜材２ａからのフック部８の脱落を阻止するロック手段１１を設けてなる。【選択図】図１
2010285767.tif 000002
【特許請求の範囲】
【請求項１】
枠組足場の建枠間に張架される一対の斜材からなる交差筋違に水平に架け渡されるようになっている補助手摺りであって、棒状の手摺り本体と、手摺り本体の両端部を吊持する一対の吊りアームとからなり、各吊りアームは、一端部が手摺り本体の端部に上下方向揺動可能に枢着されるアーム主体を有し、このアーム主体の他端部に、斜材に対し上方より嵌合するフック部を設けると共に、フック部が斜材に嵌合した状態で斜材の下側からフック部の開口部を閉鎖して斜材からのフック部の脱落を阻止するロック手段を設けてなる枠組足場の交差筋違用補助手摺り。
【請求項２】
各吊りアームのアーム主体の一端部には、斜材に対し下方より嵌合する受け部を設けてなる請求項１に記載の枠組足場の交差筋違用補助手摺り。
【請求項３】
ロック手段は、前記フック部の一側壁部側に軸支される支軸部と、支軸部の先端部から直角に延び、前記フック部の開口部を閉鎖する閉鎖用軸部と、閉鎖用軸部の先端部から内向きに支軸部と平行に突出し、前記開口部を閉鎖する位置で前記フック部の他側壁部側に設けた係止孔に対し係脱可能な係止用軸部と、からなるロックピン、及びこのロックピンの支軸部を常時その基端部側方向に付勢して、係止用軸部が係止孔に係止した状態に保持するバネにより構成される請求項１又は２に記載の枠組足場の交差筋違用補助手摺り。
【発明の詳細な説明】
【技術分野】
【０００１】
本発明は、枠組足場の建枠間に張架される一対の斜材からなる交差筋違に水平に架け渡されるようになっている補助手摺りに関する。
【背景技術】
【０００２】
建築現場で仮設される枠組足場においては、図８の(a) に示すように、足場板３の長手方向両サイドに沿った建枠１，１間に一対の斜材２ａ，２ａからなるＸ形の交差筋違２が張架されているため、この交差筋違２が安全柵となって、足場板３を渡る作業者の安全を図ることができる。ところが、このような交差筋違２は、同図から分かるように、その下部側が足場板３との間で略三角形に開口された状態となっているため、作業者が足場板３の上で中腰で作業をするような場合に、上記三角形の開口部から過って墜落する危険性があった。そこで、このような危険を防止するために、交差筋違２の下部側三角形開口部を形成する斜材２ａ，２ａに補助手摺り２４を水平に架け渡すようにしている。尚、建枠１は、両側一対の縦材１ａ，１ａと両縦材１ａ，１ａをつなぐ横材１ｂとによって門形に形成されたもので、隣り合う建枠１，１の対向する横材１ｂ，１ｂ間に足場板３が架け渡される。
【０００３】
上記従来の補助手摺り２４は、例えば特許文献１に記載されているが、図８の(b) に概略示すように、１本の棒状手摺り本体からなるもので、この棒状手摺り本体の両端部の夫々には、斜材２ａの上側面部に掛合する第１フック２１と、この第１フック２１よりも外端寄りに位置して斜材２ａの下側面部に掛合する第２フック２２とが設けられ、手摺り本体の一端部側の両フック２１，２２間に、手摺り本体が斜材２ａと平行に位置した状態で両フック２１，２２が同時に斜材２ａに嵌め込み可能な開口部（図示省略）が形成され、手摺り本体の他端部側の第２フック２２は、基軸部が手摺り本体に回転可能で上下動可能に軸支されると共に、常時はバネによって上向きに付勢されている。
【０００４】
この補助手摺り２４を交差筋違２に装着する時は、フック２１，２２間に嵌め込み用開口部が形成される手摺り本体の一端部側を一方の斜材２ａの下手側に位置させた状態で手摺り本体を平行に位置させて、この一端部側の第１フック２１と第２フック２２とを一方の斜材２ａに嵌め込んだ後、手摺り本体を水平にして、この手摺り本体の他端部側の第１フック２１を他方の斜材２ａに嵌め込むと共に、その第２フック２２を他方の斜材２ａに嵌め込むことにより、補助手摺り２４は、図８の(b) に示すような取付状態となる。
【先行技術文献】
【特許文献】
【０００５】
【特許文献１】特開平１０−３３１４１３号公報
【発明の概要】
【発明が解決しようとする課題】
【０００６】
ところで、この度、労働安全衛生法に基づく安全基準の改定があって、枠組足場の足場板から補助手摺りまでの高さが、これまでの５００ｍｍ以下から、４００ｍｍ以下に制限されることになった。図８の(b) に示す従来の補助手摺り２４は、足場板３からの高さが５００ｍｍ以下の安全基準に基づいて製作されたもので、図示のように取り付けられた状態で足場板３の上面からの高さＨｂは４５０ｍｍ前後となっていて、新しい安全基準高さＨｓの４００ｍｍより高くなる。また足場板３の上面から、建枠１の縦材１ａに止着されている斜材２ａの下端止着部までの高さｈは３２９ｍｍであることから、補助手摺り２４の両端部を図示状態から斜材２ａ，２ａの下端側に出来るだけ近づくように取り付けても、この補助手摺りの取付構造では、足場板３上面からの高さを、新しい安全基準高さＨｓである４００ｍｍ以下にすることができず、従ってこのままでは補助手摺り２４が使用できなくなる上に、これが取り付けられる建枠１及び交差筋違２の使用もできなくなる。
【０００７】
しかも、現在、国内において使用され又は保管されている図８に示すようなタイプの建枠及び交差筋違の数量は膨大なものであることから、今後使用できなくなるというのでは極めて不経済であり、莫大な建築用資材の損失となる。
【０００８】
そこで、本発明は、上記のような事情に鑑み、現在国内で使用されている建枠によって仮設される枠組足場の交差筋違にそのまま取り付けて使用することにより、足場板上から手摺りまでの高さを４００ｍｍ以下にすることができるようにした補助手摺りを提供することを目的とする。
【課題を解決するための手段】
【０００９】
上記課題を解決するための手段を、後述する実施形態の参照符号を付して説明すると、請求項１に係る発明の枠組足場の交差筋違用補助手摺りは、枠組足場の建枠１，１間に張架される一対の斜材２ａ，２ａからなる交差筋違２に水平に架け渡されるようになっている補助手摺り４であって、棒状の手摺り本体５と、手摺り本体５の両端部を吊持する一対の吊りアーム６，６とからなり、各吊りアーム６は、一端部が手摺り本体５の端部に上下方向揺動可能に枢着されるアーム主体７を有し、このアーム主体７の他端部に、斜材２ａに対し上方より嵌合するフック部８を設けると共に、フック部８が斜材２ａに嵌合した状態で斜材２ａの下側からフック部８の開口部Ｏを閉鎖して斜材２ａからのフック部８の脱落を阻止するロック手段１１を設けてなることを特徴とする。
【００１０】
請求項２は、請求項１に記載の枠組足場の交差筋違用補助手摺りにおいて、各吊りアームのアーム主体７の一端部には、斜材２ａに対し下方より嵌合する受け部１０を設けてなることを特徴とする。
【００１１】
請求項３は、請求項１又は２に記載の枠組足場の交差筋違用補助手摺りにおいて、ロック手段１１は、前記フック部８の一側壁部８ａ側に軸支される支軸部１６ａと、支軸部１６ａの先端部から直角に延び、前記フック部８の開口部Ｏを閉鎖する閉鎖用軸部１６ｂと、閉鎖用軸部１６ｂの先端部から内向きに支軸部１６ａと平行に突出し、前記開口部Ｏを閉鎖する位置で前記フック部８の他側壁部８ｂ側に設けた係止孔１４に対し係脱可能な係止用軸部１６ｃと、からなるロックピン１６、及びこのロックピン１６の支軸部１６ａを常時その基端部側方向に付勢して、係止用軸部１６ｃが係止孔１４に係止した状態に保持するバネ１７により構成されることを特徴とする。
【発明の効果】
【００１２】
上記解決手段による発明の効果を、後述する実施形態の参照符号を付して説明すると、請求項１に係る発明の交差筋違用補助手摺りは、棒状の手摺り本体５と、手摺り本体５の両端部を吊持する一対の吊りアーム６，６とからなるもので、一端部が手摺り本体５の端部に上下方向揺動可能に枢着されるアーム主体７の他端部に、斜材２ａに対し上方より嵌合するフック部８を設け、このフック部８を斜材２ａに嵌合させることによって、補助手摺り４の主体である棒状手摺り本体５を、足場板３上面からできるだけ低い位置に架け渡すことができる。因みに、現在使用されている枠組足場は、足場板３上面から、建枠１の縦材１ａに止着されている斜材２ａの下端止着部までの高さｈは約３３０ｍｍであるが、本発明の補助手摺り４によれば、手摺り本体５の足場板３上面から高さＨａを、斜材２ａの下端止着部の高さｈとほぼ同じ高さまで低くすることができるから、４００ｍｍ以下という新しい安全基準高さＨｓを十分にクリアできる。従って、この補助手摺り４は、現在国内に出回っている建枠によって仮設される枠組足場の交差筋違にそのまま取り付けて有効に使用することができる。また、ロック手段１１により斜材２ａの下側からフック部８の開口部Ｏを閉鎖して２ック部８の脱落を阻止することができる。
【００１３】
請求項２に係る発明によれば、各吊りアームのアーム主体７の一端部に、斜材２ａに対し下方より嵌合する受け部１０を設けているから、吊りアーム６の取付時に、受け部１０を斜材２ａの下端部にその下方より嵌合させることによって、手摺り本体５は、その縦揺れや横揺れを阻止されて、定位置に安定よく保持される。
【００１４】
請求項３に記載のような構成のロックピン１６とバネ１７とからなるロック手段１１によれば、ロックピン１６の閉鎖用軸部１６ｂを掴んでコイルバネ１７に抗して前方へ引っ張りながら、支軸部１６ａ周りに回動させ、係止用軸部１６ｃを係止孔１４に係止することによって、容易にロックできると共に、構造が簡単で製作が容易となる。
【図面の簡単な説明】
【００１５】
【図１】建枠の縦材間に張架された交差筋違に本発明に係る補助手摺りを取り付けた状態の正面図である。
【図２】(a) は同補助手摺りの取付状態での拡大正面図、(b) は同補助手摺りの拡大右側面図、(c) は同補助手摺りの収納時の状態を示す拡大正面図である。
【図３】(a) は図２の(a) の右端部に示す吊りアームを背面側から見た図面、(b) は図２の(a) の矢印Ａから見た吊りアームの拡大図である。
【図４】吊りアーム、ロック手段及び手摺り本体の一端部分を示す斜視図である。
【図５】(a) は吊りアームの取付前の状態を示す斜視図、(b) は取付後の状態を示す斜視図である。
【図６】(a) は吊りアームの取付前の状態を吊りアームの裏側から見た斜視図、(b) は取付後の状態を吊りアームの裏側から見た斜視図である。
【図７】同補助手摺りを交差筋違から取り外して吊りアームを畳んだ状態を示す斜視図である。
【図８】(a) は枠組足場の交差筋違に従来の補助手摺りを取り付けた状態の斜視図、(b) は同状態の正面図である。
【発明を実施するための形態】
【００１６】
以下に本発明の好適な実施形態を図面に基づいて説明すると、図１に示すように、本発明の補助手摺り４は、枠組足場を形成する対向する建枠１，１の縦材１ａ，１ａ間に張架される交差筋違２の一対の斜材２ａ，２ａに水平に架け渡されるもので、棒状の手摺り本体５と、この手摺り本体５の両端部を吊持する一対の吊りアーム６，６とからなる。
【００１７】
各吊りアーム６は、図２〜図４、特に図４に示すように、一端部が手摺り本体５の端部に上下方向揺動可能に枢着されるアーム主体７を有し、このアーム主体７の他端部には、斜材２ａに対して上方より嵌合する下向きコ字状のフック部８が設けられると共に、このフック部８が斜材２ａに嵌合した状態で斜材２ａの下側からフック部８の開口部Ｏを閉鎖して斜材２ａからのフック部８の脱落を阻止するロック手段１１が設けられ、またアーム主体７の一端部側には、斜材２ａに対し下方より嵌合する受け部１０を形成したコ字枠部９が設けられている。
【００１８】
この吊りアーム６は、比較的厚板の鋼板をプレス加工して形成されるもので、図４に示すように、アーム主体７の一端部側に設けられたコ字枠部９は、アーム主体７から一体に延びる一側壁部９ａと他側壁部９ｂと両側壁部９ａ，９ｂをつなぐ後側壁部９ｃとからなり、両側壁部９ａ，９ｂの下端部にはボルト挿通孔１８，１８が設けてあり、そして後側壁部９ｃの上端部側が切除されて、この切除部と両側壁部９ａ，９ｂの上端部との間に、斜材２ａに対し下方より嵌合する受け部１０が形成される。
【００１９】
また、吊りアーム６のフック部８は、アーム主体７の他端部から一体に延びる一側壁部８ａと、これと反対側の他側壁部８ｂと、両側壁部８ａ，８ｂをつなぐ上壁部８ｃとからなるもので、このフック部８の一側壁部８ａにはその前後端部に、軸受用耳片１２，１３が外向きに直角に突設され、フック部８の他側壁部８ｂにはその前端部に、係止孔１４を穿設した係止用耳片１５が前記軸受用耳片１２と左右対称状に設けられている。
【００２０】
前記ロック手段１１は、図３の(b) 及び図４から分かるように、前記フック部８の一側壁部８ａの前後端部に突設してある軸受用耳片１２，１３に挿通されて回転可能に軸支される支軸部１６ａと、この支軸部１６ａの先端部から直角に延び、前記フック部８の開口部Ｏを閉鎖する閉鎖用軸部１６ｂと、この閉鎖用軸部１６ｂの先端部から内向きに支軸部１６ａと平行に突出し、前記開口部Ｏを閉鎖する位置で前記フック部８の他側壁部８ｂ側に設けられた係止用耳片１５の係止孔１４に対し係脱可能な係止用軸部１６ｃとからなるロックピン１６、及びこのロックピン１６の支軸部１６ａを常時その基端部側方向（後方）に付勢して、係止用軸部１６ｃが係止孔１４に係止した状態に保持可能なコイルバネ１７によって構成される。
【００２１】
上記のような構成の吊りアーム６を手摺り本体５の一端部に枢着するには、図４に示すように、吊りアーム６のコ字枠部９の下端部を手摺り本体５の端部に嵌合させるようにして、コ字枠部９下端部のボルト挿通孔１８，１８と手摺り本体５の端部に設けたボルト挿通孔１９とにわたって枢軸用のボルト２０を挿通し、その挿通端部にナット２１を螺合すればよい。
【００２２】
そして、吊りアーム６にロック手段１１をセットするには、図３の(b) に示すように、ロックピン１６の支軸部１６ａを、フック部８の一側壁部８ａ側に突設された軸受用耳片１２，１３にわたって挿通させると共に、図３の(b) に示すように支軸部１６ａにコイルバネ１７を嵌装して、このコイルバネ１７の一端を耳片１２に当接させ、その他端を支軸部１６ａに固定した止めリング２２に当接させて図４に示すような状態にすればよい。
【００２３】
この補助手摺り４を図１に示すようにＸ状に交差した交差筋違２の両斜材２ａ，２ａに架け渡すには、先ず各吊りアーム６を手摺り本体５に対し上向き傾斜姿勢にして、フック部８を斜材２ａの下端部側に上方よりある程度無造作に嵌め込み、図５の(a) に示すような状態とする。この図５の(a) に示すような状態を吊りアーム６の裏側から見た状態を図６の(a) に示す。
【００２４】
この後、各吊りアーム６のフック部８を、その上壁部８ｃが斜材２ａと平行になるように斜材２ａに対し上から押さえ付けて十分に嵌合させると共に、フック部８と反対側端部にあるコ字枠部９の受け部１０を斜材２ａに下方より嵌合させ、この状態からロックピン１６の閉鎖用軸部１６ｂを掴んでコイルバネ１７に抗して前方へ引っ張りながら、支軸部１６ａ周りに回動させ、係止用軸部１６ｃを係止用耳片１５の係止孔１４に係止してロックピン１６をロックし、図５の(b) に示すような状態とすればよい。この図５の(b) の状態を吊りアーム６の裏側から見た状態を図６の(b) に示す。
【００２５】
上記のように、補助手摺り４を交差筋違２の両斜材２ａ，２ａに掛け渡すには、各吊りアーム６のフック部８を斜材２ａに対し上方より嵌合させた後、フック部８と反対側端部の受け部１０を斜材２ａに下方より嵌合させ、そしてフック部８の一側壁部８ａ側に支軸部１６ａが軸支されたロックピン１６の操作し、その係止用軸部１６ｃをフック部の他側壁部８ｂ側に設けた係止孔１４に係止すればよいから、補助手摺り４の掛け渡し作業を簡単容易に行うことができる。
【００２６】
こうして両吊りアーム６，６のフック部７，７を両斜材２ａ，２ａに夫々嵌合すると共にロック手段１１で斜材２ａからのフック部８の脱落を阻止するようにしたことにより、両吊りアーム６，６により棒状手摺り本体５の両端部を吊持された補助手摺り４が両斜材２ａ，２ａ間に安定状態に架け渡され、図１に示すような状態となる、この図１から分かるように、この発明に係る補助手摺り４によれば、補助手摺り４の主体である棒状手摺り本体５を、足場板３の上面から出来るだけ低い位置に架け渡すことができる。
【００２７】
因みに、図１に示す枠組足場において、足場板３の上面から、建枠１の縦材１ａに止着されている斜材２ａの下端止着部までの高さｈは３２９ｍｍであるが、この発明の補助手摺り４によれば、図１からも分かるように、手摺り本体５の足場板３上面から高さＨａを斜材２ａ下端部の止着部の高さｈとほぼ同じ高さまで低くすることができ、４００ｍｍ以下という新しい安全基準高さＨｓを十分に確保することができる。従って、この補助手摺り４は、現在国内に出回っている建枠によって仮設される枠組足場の交差筋違にそのまま取り付けて有効に使用することができる。
【００２８】
また、この補助手摺り４によれば、各吊りアーム６は、アーム主体７の一端部側に、斜材２ａに対し下方より嵌合する受け部１０が設けているから、吊りアーム６の取付時に、図５の(b) 及び図６の(b) に示すように、この受け部１０を斜材２ａの下端部にその下方より嵌合させることによって、手摺り本体５は、その縦揺れや横揺れを阻止されて、定位置に安定よく保持される。
【００２９】
また、この補助手摺り４では、各吊りアーム６に設けてあるロック手段１１は、フック部８の一側壁部８ａ側に軸支される支軸部１６ａと、支軸部１６ａの先端部から直角に延び、フック部８の開口部Ｏを閉鎖する閉鎖用軸部１６ｂと、閉鎖用軸部１６ｂの先端部から内向きに支軸部１６ａと平行に突出し、開口部Ｏを閉鎖する位置でフック部８の他側壁部８ｂ側に設けた係止孔１４に対し係脱可能な係止用軸部１６ｃと、からなるロックピン１６、及びこのロックピン１６の支軸部１６ａを常時その基端部側方向に付勢して、係止用軸部１６ｃが係止孔１４に係止した状態に保持するバネ１７によって構成されるから、ロックピン１６の閉鎖用軸部１６ｂを掴んでコイルバネ１７に抗して前方へ引っ張りながら、支軸部１６ａ周りに回動させて係止用軸部１６ｃを係止孔１４に係止することによって、簡単容易にロック操作できると共に、構造が簡単で製作が容易となる。
【００３０】
また、この補助手摺り４を交差筋違２の両斜材２ａ，２ａから取り外す時には、各吊りアーム６のロック手段１１をロック解除する、つまりロックピン１６の閉鎖用軸部１６ｂを掴んで手前側へ引っ張って係止用軸部１６ｃを係止孔１４から抜き出し、吊りアーム６のフック部８側を持ち上げれば、フック部８が斜材２ａが離脱すると共に、コ字枠部９側の受け部１０が斜材２ａから抜けて、交差筋違２から簡単に取り外すことができる。
【００３１】
こうして交差筋違２の両斜材２ａ，２ａから取り外した手摺り本体５は、図２の(b) 及び図７に示すように、各吊りアーム６は、一端部側の枢軸用ボルト２０を中心に他端部側のフック部８を下向きに回動して、フック部８を手摺り本体５に嵌合させることにより、コンパクトに折り畳むことができ、またフック部８を手摺り本体５に嵌合させた状態で、ロック手段１１により手摺り本体５の下側からフック部８の開口部Ｏを閉鎖することによって、吊りアーム６を手摺り本体５の端部側に折り畳んだ状態に固定することができ、梱包時や搬送時に有効である。
【００３２】
尚、本発明に係る補助手摺り４は、Ｘ状に交差した交差筋違２の両斜材２ａ，２ａの夫々下端側に架け渡して使用されるだけでなく、図１に示すように、両側に隣り合う交差筋違２，２の対向する斜材２ａ，２ａの上部側に架け渡して使することもある。
【符号の説明】
【００３３】
１              枠組足場の建枠
２              交差筋違
２ａ            交差筋違の斜材
３              足場板
４              補助手摺り
５              手摺り本体
６              吊りアーム
７              アーム主体
８              フック部
Ｏ              フック部の開口部
９              コ字枠部
１０            受け部
１１            ロック手段
１２，１３      軸受用耳片
１４            係止孔
１５            係止用耳片
１６            ロックピン
１６ａ          ロックピンの支軸部
１６ｂ          ロックピンの閉鎖用軸部
１６ｃ          ロックピンの係止用軸部
１７            コイルバネ
【図１】
2010285767.tif 000003
【図２】
2010285767.tif 000004
【図３】
2010285767.tif 000005
【図４】
2010285767.tif 000006
【図５】
2010285767.tif 000007
【図６】
2010285767.tif 000008
【図７】
2010285767.tif 000009
【図８】
2010285767.tif 000010